(57)【特許請求の範囲】
【請求項１】
本体支持部に固定された、頭髪の頭頂部分に熱を照射するほぼ半円円弧状の頭頂用第1のヒーターを有する、頭頂用第１のヒーターユニットと、
その両先端部分の各々が上記頭頂用第１のヒーターユニットの各先端部分に回動自在に連結された、上記頭髪の左右側面の生え際部分に熱を照射するほぼ半円円弧状の生え際用第２，第３のヒーターを有する、生え際用第２，第３のヒーターユニットとを備え、
上記生え際用第２，第３のヒーターユニットは、
上記生え際用第２，第３のヒーターユニットが上記頭頂用第１のヒーターユニットに対しそれぞれほぼ４５度をなす面内にある状態と、上記生え際用第２，第３のヒーターユニットが同一平面上に位置し該生え際用第２，第３のヒーターユニットでほぼ円形状をつくる状態との間で各々回動可能であり、且つ、該回動可能範囲内の所望の固定位置で、各々上記頭髪の左右側面に対し熱を照射するものである、
ことを特徴とする頭髪処理促進機。
【請求項２】
請求項１記載の頭髪処理促進機において、
頭髪処理促進機本体が、スタンドの先端部に、該頭髪処理促進機本体に連結された支持棒を介して挿入され、該スタンドごと床面上を移動可能である、
ことを特徴とする頭髪処理促進機。
【請求項３】
請求項２記載の頭髪処理促進機において、
上記頭髪処理促進機は、上記頭髪処理促進機本体を、上記支持棒に対して支持軸を中心に前後に傾動可能であり、上記支持軸の回動をロックすることにより、上記頭髪処理促進機の前後傾動位置を固定可能である、
ことを特徴とする頭髪処理促進機。
【請求項４】
請求項１ないし請求項３のいずれかに記載の頭髪処理促進機において、
上記生え際用第２，第３のヒーターユニットは、
上記生え際用第２，第３のヒーターユニットが上記頭頂用第１のヒーターユニットに対しほぼ４５度をなす面内にある状態から、上記生え際用第２，第３のヒーターユニットが上記頭頂用第１のヒーターユニットが位置する面と平行で且つ相互に平行な平面上に位置する状態まで回動させて、収納状態とすることができる、
ことを特徴とする頭髪処理促進機。
【発明の詳細な説明】
【０００１】
【発明の属する技術分野】
本発明は、理美容院において頭髪のパーマ、毛染め、乾燥等の処理を行う際に、頭髪に熱を照射して、該処理を促進させる頭髪処理促進機に関する。
【０００２】
【従来の技術】
従来から、理美容院において頭髪に対してパーマや毛染めや乾燥等の処理を行う場合、ヒーター等で頭髪に熱を照射し、該処理の進行を促進させている。そして、その頭髪に熱を照射する装置としては、特公平４−６４４に記載されている、リング状ヒーターが頭部周囲を回転しながら熱を照射し、頭髪を加温する毛髪処理促進装置や、特公平７−３２７２９に記載されている、頭部両側面、後部、頭頂部など、各部分に熱を照射する、分割された複数のヒーターが、頭髪を加温する毛髪処理促進制御装置などがある。
【０００３】
【発明が解決しようとする課題】
しかしながら、頭髪に対してパーマや毛染めの処理を行う場合、該処理を促進させるには、特に頭髪の生え際に対して熱が照射されることが必要である。この点に関して、従来の特公平４−６４４に記載されている毛髪処理促進装置においては、リング状ヒーターが軸を中心として偏心回転運動を行い、頭部周囲を回転しながら頭髪を加温するものであって、頭髪周囲の生え際まで均等に熱が照射されるものではなかった。また、特公平７−３２７２９に記載されている毛髪処理促進制御装置においても同様に、頭部両側面、後部にあるヒーターでは、頭髪周囲の生え際まで均等に熱を照射するには十分でなかった。さらに、特公平７−３２７２９においては、頭髪を取り囲むように複数のヒーターが設置されているので、その設置容積が広くなり、狭い理美容院においては、収納場所がないという問題もあった。
【０００４】
本発明は、上記問題に鑑みてなされたものであり、頭髪全周の生え際に均等に熱を照射し、収納時には設置容積が小さくなる頭髪処理促進機を提供することを目的とする。
【０００５】
【課題を解決するための手段】
上記課題を解決するため、本発明の請求項１記載の頭髪処理促進機は、本体支持部に固定された、頭髪の頭頂部分に熱を照射するほぼ半円円弧状の頭頂用第１のヒーターを有する、頭頂用第１のヒーターユニットと、その両先端部分の各々が上記頭頂用第１のヒーターユニットの各先端部分に回動自在に連結された、上記頭髪の左右側面の生え際部分に熱を照射するほぼ半円円弧状の生え際用第２，第３のヒーターを有する、生え際用第２，第３のヒーターユニットとを備え、上記生え際用第２，第３のヒーターユニットが、上記生え際用第２，第３のヒーターユニットが上記頭頂用第１のヒーターユニットに対しそれぞれほぼ４５度をなす面内にある状態と、上記生え際用第２，第３のヒーターユニットが同一平面上に位置し該生え際用第２，第３のヒーターユニットでほぼ円形状をつくる状態との間で各々回動可能であり、且つ、該回動可能範囲内の所望の固定位置で、各々上記頭髪の左右側面に対し熱を照射するものとしたものである。
【０００６】
また、本発明の請求項２記載の頭髪処理促進機は、請求項１記載の頭髪処理促進機において、頭髪処理促進機本体が、スタンドの先端部に、該頭髪処理促進機本体に連結された支持棒を介して挿入され、該スタンドごと床面上を移動可能である、ようにしたものである。
【０００７】
また、本発明の請求項３記載の頭髪処理促進機は、請求項２記載の頭髪処理促進機において、上記頭髪処理促進機は、上記頭髪処理促進機本体を、上記支持棒に対して支持軸を中心に前後に傾動可能であり、上記支持軸の回動をロックすることにより、上記頭髪処理促進機の前後傾動位置を固定可能である、ようにしたものである。
【０００９】
また、本発明の請求項４記載の頭髪処理促進機は、請求項１ないし請求項３のいずれかに記載の頭髪処理促進機において、上記生え際用第２，第３のヒーターユニットは、上記生え際用第２，第３のヒーターユニットが上記頭頂用第１のヒーターユニットに対しほぼ４５度をなす面内にある状態から、上記生え際用第２，第３のヒーターユニットが上記頭頂用第１のヒーターユニットが位置する面と平行で且つ相互に平行な平面上に位置する状態まで回動させて、収納状態とすることができる、ようにしたものである。
【００１０】
【発明の実施の形態】
（実施の形態１）
以下、図１から図７を用いて、本実施の形態１における、頭髪処理促進機について説明する。
まず、図１から図３を用いて、本実施の形態１における頭髪処理促進機の構成について説明する。図１は、本実施の形態１における使用状態の頭髪処理促進機の正面斜視図であり、図２はその背面斜視図、図３はその頭髪処理部分の断面図である。
【００１１】
図において、本実施の形態１における頭髪処理促進機は、頭髪の頭頂部に熱を照射する頭頂用第１のヒーターユニット１の両側に、該頭頂用第１のヒーターユニット１に対し、回動軸４ａ，４ｂによって所定範囲内で回動自在に連結された、頭髪の左右側面の生え際に熱を照射する生え際用第２，第３のヒーターユニット２，３を設けてなる頭髪処理部２０を有するものであり、該頭髪処理部２０は支持棒９を介してスタンド１０の先端に挿入され、これを床面上の任意の位置に設置するようにしたものである。
【００１２】
また、上記頭髪処理部２０は、上記支持棒９に対して支持軸６を中心に前後に傾動させることができるものであり、支持軸ロックブラケット８に固着された把手７を上方に持ち上げることで支持軸６の回動をロックさせ、上記頭髪処理部２０の前後傾動位置を固定するものである。
【００１３】
以下、図３から図６を用いて、上記頭髪処理部２０の各部について詳細に説明する。図４は、図１における頭髪処理部のＡ−Ａ’断面図であり、図５は、本実施の形態１における頭髪処理促進機の生え際用第２，第３のヒーターユニットを回動させてほぼ円形状にした時の頭髪処理部の平面図であり、図６は、本実施の形態１における頭髪処理促進機を収納状態にした時の頭髪処理部の正面斜視図である。
【００１４】
図４において、各ヒーターユニットは、頭髪に熱を照射するヒーターと、そのヒーターの熱がより広範囲に届くようにする反射板１４と、ヒーター及び反射板１４の枠であるヒーターカバー１５とからなるものであり、図３に示すように、回転軸４ａ，４ｂで連結されている。
【００１５】
まず、各ヒーターユニットの連結部分について述べる。図３において、１７ａ，１７ｂは生え際用第２のヒーターユニットの両先端部分に設けられている第１の回動ブラケット、そして１８ａ，１８ｂは生え際用第３のヒーターユニットの両先端部分に設けられている第２の回動ブラケットであり、上記第１，第２の回動ブラケット１７，１８がかみ合わさって両生え際用ヒーターユニット２，３が連結している。上記回動軸４ａ，４ｂは上記回動ブラケット１７，１８の中心軸として設けられ、該回動軸４ａ，４ｂの先端部分には、第１，第２の回動ブラケット１７，１８をストッパー１５ａ，１５ｂに押さえつけて該第１，第２の回動ブラケットの位置を固定するばね状のワッシャー１６ａ，１６ｂが設けられている。上記両生え際用ヒーターユニット２，３は、上記頭頂用第１のヒーターユニット１に対して所定範囲で回動可能に連結されているものであるが、その回動可能な範囲は、図１及び図２に示すような、上記両生え際用ヒーターユニット２，３が頭頂用第１のヒーターユニット１に対してほぼ４５度をなす面内にある状態から、図５に示すような、上記両生え際用ヒーターユニット２，３が同一平面上に位置してほぼ円形状をつくる状態までの間の範囲であり、上記両生え際用ヒーターユニット２，３は、上記回動可能範囲内の所望の位置から頭髪に対しての熱の照射を行うものである。さらに、上記生え際用第２，第３のヒーターユニット２，３は、図５に示す、両生え際用ヒーターユニット２，３が同一平面上に位置してほぼ円形状をつくる状態から、図６に示す、両生え際用ヒーターユニット２，３が上記頭頂用第１のヒーターユニット１と平行で且つ相互に平行な平面上に位置する状態まで回動させることで、本頭髪処理促進機を収納状態とすることができるものである。
【００１６】
次に、頭髪処理部２０と支持棒９との連結部分について述べる。図４において、支持軸６には、当該頭髪処理部２０のシャーシ９２，９３のうち支持軸側のシャーシ９２と、支持軸ロックボルト８１とが固着されており、該支持軸ロックボルト８１が適度な硬さで締め込まれている支持軸ロックブラケット８には、把手７が固着されている。支持棒９は内部にバネ９１を備えていて、バネ９１の一端は支持棒９に、他端は支持軸６に固定されている。このバネ９１はバネの反発力でシャーシ９２が固着されている支持軸６を外側に押し出し、それにより該支持軸６に固着している支持軸ロックボルト８１をシャーシ９３のほうにひきよせることで支持棒９に対して頭髪処理部２０のシャーシ９２，９３を押さえつけ、該頭髪処理部２０が前方に倒れるのを防いでいる。また、頭髪処理部２０を支持軸６に対して前後に傾動させた後にその位置で動かないようにロックさせる場合、把手７を上方に持ち上げると、支持軸ロックブラケット８が支持軸ボルト８１にさらに締め込まれることになり、それによって支持軸ロックブラケット８と支持軸６とがそれぞれシャーシ９３，９２側に締め込まれ、その摩擦力で頭髪処理部２０の位置をロックすることができる。
【００１７】
さらに本体支持部５には、図２に示すような本頭髪処理促進機の操作盤５０が取り付けられている。上記操作盤５０上の各スイッチについて説明すると、５１は熱を照射する時間を設定するタイマー設定用スイッチ、５２は被施術者がうけている施術内容を選択するモード設定用スイッチ、５３は被施術者の頭髪に対して、熱照射を開始あるいは停止させるｓｔａｒｔ／ｓｔｏｐスイッチ、５４はヒーターの温度を設定する温度設定用スイッチ、５５は頭髪処理促進機の電源を入れる電源ＯＮ／ＯＦＦスイッチである。
【００１８】
次に、図７を用いて、上記のように構成された、本実施の形態１における頭髪処理促進機を使用して、被施術者の頭髪に熱を照射する際の動作について説明する。図７（ａ）は、本実施の形態１の頭髪処理促進機における、頭髪処理部２０の各ヒーターユニット位置を調整前の側面図であり、図７（ｂ）は、本実施の形態１の頭髪処理促進機における、頭髪処理部２０の位置調整時の側面図であり、図７（ｃ）は、本実施の形態１の頭髪処理促進機における、生え際用第２，第３ヒーターユニットの位置調整時の側面図である。
【００１９】
まず、美容師（図示せず）は、本頭髪処理促進機の頭髪処理部２０が、図７（ａ）に示す上方保持位置Ｙ０にある頭髪処理促進機を、理美容椅子に座っている被施術者（図示せず）の後ろに設置する。
そして次に、美容師は、図７（ａ）の上方保持位置Ｙ０にある上記頭髪処理部２０を、図７（ｂ）の所望の位置である実線位置Ｙ１まで傾動させる。
【００２０】
ここで、その具体的な傾動動作について述べると、頭髪処理部２０を図７（ａ）の位置Ｙ０から、図７（ｂ）の実線位置Ｙ１まで移動させる場合、まず、美容師は、把手７を図７（ａ）のｌｏｃｋ位置から、ｕｎｌｏｃｋ位置に下げて、頭髪処理部２０のロックをはずす。次に、美容師は、被施術者の頭の位置に合った、図７（ｂ）の実線位置Ｙ１まで頭髪処理部２０を前に傾動させ、実線位置Ｙ１に至ったとき、把手７をｌｏｃｋ位置に上げて、頭髪処理部２０の傾動位置をロックする。
【００２１】
このようにして、頭髪処理部２０の位置を固定した後、次に美容師は、図７（ｃ）の斜線位置ｙ１にある、生え際用第２，第３のヒーターユニット２，３を、実線位置ｙ２に位置するように、該両生え際用ヒーターユニット２，３を、回動軸４を中心に回動させる。
【００２２】
具体的な回動動作について述べると、生え際用第２，第３ヒーターユニットを図７（ｃ）の斜線位置ｙ１から実線位置ｙ２に移動させる場合、まず美容師は、図７（ｃ）の斜線位置ｙ１に、ワッシャー１６で固定されている、生え際用第２，第３のヒーターユニット２，３を手で持ち上げながら回動させる。そして、図７（ｃ）の実線位置ｙ２まで移動させたら手をはなし、両生え際用ヒーターユニット２，３をその位置ｙ２で固定させる。
【００２３】
以上のようにして、頭髪処理部２０と、両生え際用ヒーターユニット２，３の位置の調整を行った後、美容師は本頭髪処理促進機に対して通電させ、操作盤５０上の電源ＯＮ／ＯＦＦスイッチ５５を押して、頭髪処理促進機の電源を入れ、被施術者がうけている施術の内容、例えば頭髪のパーマや毛染め、あるいはトリートメント等、をモード設定用スイッチ５２で選択する。このモード設定用スイッチ５２は、例えばスイッチ５２で施術内容がパーマであることを選択すると、パーマ処理の進行を促進させるのに適当なヒーターの温度や熱照射時間が自動的に設定されるようになっている。
そして、上述したようにヒーターの温度や照射時間の設定が終了した後、美容師はｓｔａｒｔ／ｓｔｏｐスイッチ５３を押して、被施術者の頭髪に対する熱の照射を開始する。
【００２４】
頭髪処理促進機のヒーターにより、被施術者の頭髪に熱が照射されはじめ、被施術者がその熱さに絶えられず、その旨を美容師に訴えた場合、美容師は温度設定用スイッチ５４を押して、ヒーターの温度を被施術者が所望する温度になるまで下げていく。また、ヒーターの温度を下げたことによって、熱の照射時間を長くしなければならない場合、美容師はタイマー設定用スイッチ５１を押して、時間を延長させる。このように、モード設定用スイッチ５２で設定された温度や照射時間以外の温度や時間も、美容師が温度設定用スイッチ５４やタイマー設定用スイッチ５１を押して、設定することができる。
【００２５】
設定時間経過後、頭髪処理促進機のヒーターは自動的に切れ、被施術者の頭髪に対する熱の照射が終了する。その後、美容師は電源ＯＮ／ＯＦＦスイッチ５５を押して、頭髪処理促進機の電源を切り、頭髪処理部２０を再び上方保持位置Ｙ０に回動させた後、頭髪処理促進機を被施術者の後ろから、施術を行う際に邪魔にならない別の場所に移動させる。
【００２６】
また、理美容院の営業が終了して、本頭髪処理促進機を収納する場合には、生え際用第２，第３のヒーターユニット２，３を、図７（ｃ）の示す実線位置ｙ２から、図６に示す頭頂用第１のヒーターユニット１が位置する面と平行な面上にそれぞれが位置する状態まで移動させ、本頭髪処理促進機を設置容積を小さくした収納状態にすることができる。
【００２７】
以上のように、本実施の形態１における頭髪処理促進機は、被施術者の頭髪の頭頂部分に熱を照射する頭頂用第１のヒーターユニット１の両側に、上記頭髪の左右側面に熱を照射する生え際用第２，第３のヒーターユニット２，３を備え、該両生え際用ヒーターユニット２，３を所定の範囲で回動可能にし、また、頭髪処理部２０も支持軸６で前後に回動可能にしたので、美容師が被施術者の頭の位置に合うように各ヒーター１１，１２，１３の位置を調整でき、該被施術者の頭髪に対してパーマや毛染め等の施術を行う際に、頭髪全周の生え際に対して、均等に熱の照射を行うことができる。
【００２８】
また、本実施の形態１における頭髪処理促進機は、スタンド１０の先端に頭髪処理部２０を挿入して、床面上に設置するようにしたので、本頭髪処理促進機を任意の位置に設置することができる。
また、本実施の形態１における頭髪処理促進機は、作業終了後、生え際用第２，第３のヒーターユニット２，３を、回動軸４ａ，４ｂを中心に回動させて、頭頂用第１のヒーターユニット１の位置する面と平行で、且つ両生え際用ヒーターユニット２，３が相互に平行な平面上に位置する、収納状態にすることができるので、本頭髪処理促進機の設置面積を小さくし、狭い理美容院でも収納場所に困らないという効果がある。
【００２９】
【発明の効果】
本発明の請求項１記載の頭髪処理促進機によれば、本体支持部に固定された、頭髪の頭頂部分に熱を照射するほぼ半円円弧状の頭頂用第1のヒーターを有する、頭頂用第１のヒーターユニットと、その両先端部分の各々が上記頭頂用第１のヒーターユニットの各先端部分に回動自在に連結された、上記頭髪の左右側面の生え際部分に熱を照射するほぼ半円円弧状の生え際用第２，第３のヒーターを有する、生え際用第２，第３のヒーターユニットとを備え、上記生え際用第２，第３のヒーターユニットを、上記生え際用第２，第３のヒーターユニットが上記頭頂用第１のヒーターユニットに対しそれぞれほぼ４５度をなす面内にある状態と、上記生え際用第２，第３のヒーターユニットが同一平面上に位置し該生え際用第２，第３のヒーターユニットでほぼ円形状をつくる状態との間で各々回動可能であり、且つ、該回動可能範囲内の所望の固定位置で、各々上記頭髪の左右側面に対し熱を照射するものとしたので、被施術者の頭髪全周の生え際に熱を照射することができ、さらに、被施術者の頭の位置に合わせて、両生え際用ヒーター位置を調整し、被施術者の頭髪の生え際に均一に熱を照射することができる。
【００３０】
また、本発明の請求項２記載の頭髪処理促進機によれば、請求項１記載の頭髪処理促進機において、頭髪処理促進機本体が、スタンドの先端部に、該頭髪処理促進機本体に連結された支持棒を介して挿入され、該スタンドごと床面上を移動可能であるようにしたので、本頭髪処理促進機を任意の位置に設置することができる。
【００３１】
また、本発明の請求項３記載の頭髪処理促進機によれば、請求項２記載の頭髪処理促進機において、上記頭髪処理促進機は、上記頭髪処理促進機本体を、上記支持棒に対して支持軸を中心に前後に傾動可能であり、上記支持軸の回動をロックすることにより、上記頭髪処理促進機の前後傾動位置を固定可能であるようにしたので、被施術者の頭の位置に合わせて、本頭髪処理促進機本体を前後に移動させ、該被施術者の頭髪の頭頂部分に熱を十分照射することができる。
【００３３】
また、本発明の請求項４記載の頭髪処理促進機によれば、請求項１ないし請求項３のいずれかに記載の頭髪処理促進機において、上記生え際用第２，第３のヒーターユニットは、上記生え際用第２，第３のヒーターユニットが上記頭頂用第１のヒーターユニットに対しほぼ４５度をなす面内にある状態から、上記生え際用第２，第３のヒーターユニットが上記頭頂用第１のヒーターユニットが位置する面と平行で且つ相互に平行な平面上に位置する状態まで回動させて、収納状態とすることができるようにしたので、頭髪処理促進機の設置容積を小さくし、本頭髪処理促進機を収納する際に、場所をとらないようにすることができる。
【図面の簡単な説明】
【図１】本発明の実施の形態１にかかる、使用時の頭髪処理促進機の正面斜視図である。
【図２】本発明の実施の形態１にかかる、使用時の頭髪処理促進機の背面斜視図である。
【図３】本発明の実施の形態１にかかる、使用時の頭髪処理促進機の断面図である。
【図４】本発明の実施の形態１にかかる、使用時の頭髪処理促進機のＡ−Ａ’断面図である。
【図５】本発明の実施の形態１にかかる、頭髪処理促進機の生え際用第２，第３のヒーターユニットを回動させ、同一平面上でほぼ円形状にしたときの正面図である。
【図６】本発明の実施の形態１にかかる、頭髪処理促進機の収納状態の正面斜視図である。
【図７】本発明の実施の形態１にかかる、頭髪処理促進機のヒーターユニットの位置調整時の側面図である。
【符号の説明】
１  頭頂用第１のヒーターユニット
２  生え際用第２のヒーターユニット
３  生え際用第３のヒーターユニット
４ａ，４ｂ  回動軸
５  本体支持部
６  支持軸
７  把手
８  支持軸ロックブラケット
９  支持棒
１０  スタンド
１１  頭頂用第１のヒーター
１２  生え際用第２のヒーター
１３  生え際用第３のヒーター
１４  反射板
１５ａ，１５ｂ  ストッパー
１６ａ，１６ｂ  ワッシャー
１７ａ，１７ｂ  第１の回動ブラケット
１８ａ，１８ｂ  第２の回動ブラケット
１９  ヒーターカバー
２０  頭髪処理部
５０  操作盤
５１  タイマー設定用スイッチ
５２  モード設定用スイッチ
５３  ｓｔａｒｔ／ｓｔｏｐスイッチ
５４  温度設定用スイッチ
５５  電源ＯＮ／ＯＦＦスイッチ
８１  支持軸ロックボルト
９１  バネ
９２，９３  シャーシ
【図１】
0004456254.tif 000002
【図２】
0004456254.tif 000003
【図３】
0004456254.tif 000004
【図４】
0004456254.tif 000005
【図５】
0004456254.tif 000006
【図６】
0004456254.tif 000007
【図７】
0004456254.tif 000008